(57)【特許請求の範囲】
【請求項１】
非接触式自動改札機の本体と非接触券又は非接触式トークンとの間でデータ授受を行って改札処理をする非接触式自動改札機において、
前記非接触券と交信するアンテナの中に、回収する非接触トークンを投入するためのトークン投入口を設けたことを特徴とする非接触式自動改札機。
【請求項２】
トークン投入口に、投入された非接触式トークンと交信するためのアンテナを設けたことを特徴とする請求項１に記載の非接触式自動改札機。
【請求項３】
回収された非接触式トークンは再使用されるものであることを特徴とする請求項１又は２に記載の非接触式自動改札機。
【請求項４】
非接触式自動改札機の本体と非接触券又は非接触式トークンとの間でデータ授受を行って改札処理をする非接触式自動改札機において、
前記非接触式自動改札機の本体の上面に設けられた前記非接触券と交信するためのアンテナの中に、前記非接触トークンを投入するためのトークン投入口を設けるとともに、そのトークン投入口に投入された非接触トークンと交信するためのアンテナを設け、
前記非接触トークンから受信したデータに基づいて、その非接触トークンを回収すべきものと判定したときに、その非接触トークンを回収するための回収箱を備えたことを特徴とする非接触式自動改札機。
【請求項５】
非接触券と交信するためのアンテナと非接触トークンと交信するためのアンテナとを共用していることを特徴とする請求項２又は４に記載の非接触式自動改札機。
【発明の詳細な説明】
【０００１】
【発明の属する技術分野】
本発明は、非接触券と非接触式トークンのいずれも処理することができる非接触式自動改札機に関する。
【０００２】
【従来の技術】
乗車券を自動改札機に投入することなく、非接触式に自動改札が行える非接触式自動改札機は、無線通信機能を備えたＩＣカードから構成されている非接触式乗車券（本明細書ではこれを「非接触券」という。）との間で非接触でデータの授受を行い、受信した非接触券のデータについての有効無効の判定結果に応じて改札処理（改札通路の通過許否）を行うように構成されている。
【０００３】
非接触券は、無線通信機能を備えたＩＣカードからなるので、磁気券に比べて製造コストが高い。したがって、従来、磁気券で構成されている１回限りの普通乗車券や一日乗車券、あるいは回数券等の有効期間が比較的短い乗車券（以下、短期使用券という。）を非接触券とする場合は、運用コストがかさむので、短期使用券の代替物としてコイン状の非接触式トークン（以下、「トークン」という。）を用い、そのトークンが有効期間切れになったときはこれを回収して繰返し使用することを目論んだ改札処理システムが提案された。
【０００４】
上述のように、短期使用券をトークンとしたときは、磁気券を処理するための自動改札機を設置する必要がなくなり、設備コストの低減が可能であるという特長が得られるだけでなく、回収したトークンを更新して、繰返し使用できるので、省資源化を図ることが可能となる。
【０００５】
【発明が解決しようとする課題】
しかしながら、上述のように短期使用券をトークンとし、これを繰返し使用できる改札処理システムを導入する場合は、非接触式自動改札機において、従来使用されている非接触券と新たに使用されるトークンとをどのように取り扱うことが、非接触式自動改札機の製造コストの上昇を抑え、かつ、非接触券使用者とトークン使用者のいずれにも利用し易い非接触式自動改札機になるかを検討することが求められようになってきた。
【０００６】
そこで、本発明は、上記の点に鑑みてなされたものであって、その目的は、製造コストの上昇を抑え、かつ、非接触券使用者とトークン使用者のいずれにも利用し易い非接触式自動改札機を提供することにある。
【０００７】
【課題を解決するための手段】
本発明は、上記目的を達成するために、非接触式自動改札機の本体と非接触券又はトークンとの間でデータ授受を行って改札処理をする非接触式自動改札機において、前記非接触券と交信するアンテナの中に、回収する非接触トークンを投入するためのトークン投入口を設けたことを特徴としている。
本発明の好ましい例では、トークン投入口に、投入された非接触式トークンと交信するためのアンテナを設けたことを特徴としている。
また、回収された非接触式トークンは、再使用されるものであることを特徴としている。
本発明の別の例では、非接触式自動改札機の本体と非接触券又はトークンとの間でデータ授受を行って改札処理をする非接触式自動改札機において、前記非接触式自動改札機の本体の上面に設けられた前記非接触券と交信するためのアンテナの中に、前記トークンを投入するためのトークン投入口を設けるとともに、そのトークン投入口に、投入されたトークンと交信するためのアンテナを設け、前記トークンから受信したデータに基づいて、そのトークンを回収すべきものと判定したときに、そのトークンを回収するための回収箱を備えたことを特徴としている。
さらに、本発明の好ましい例では、上記非接触券と交信するためのアンテナと非接触トークンと交信するためのアンテナとを共用していることを特徴としている。
【０００８】
【発明の実施の形態】
以下、本発明の実施の形態を図面に基づいて説明する。図１は、一実施の形態に係る非接触式自動改札機の本体（以下、「改札機本体」という。）Ｇの斜視図であって、その改札機本体Ｇの改札通路Ｐの入口側の上面には、カバーａ′が設けられ、そのカバーの内部に非接触式ＩＣカードからなる非接触券と交信するためのアンテナａ1 が備えてある。
【０００９】
筐体Ｈの改札通路Ｐの入口側には、改札機本体Ｇが使用可否のいずれの状態にあるかを利用者に表示するための表示部１が設けられている。また、図中、Ｓ，Ｓ…は、利用者の改札通路Ｐへの進入又は改札通路Ｐからの退出、あるいは通過を検知するための光電式の人間検知器であって、筐体Ｈの側面に所定の間隔を保って設けられている。さらに、この人間検知器は、筐体Ｈの上面の改札通路Ｐと反対側でその改札通路Ｐの通過方向に沿って設けられたセンサ取付ボックス２内に設けられている反射型センサによっても構成されている。この反射型センサは、改札通路Ｐ内の大人の利用者を検知できるように構成されている。
【００１０】
筐体Ｈの改札通路Ｐ側の面には、利用者に対して音声により所定の案内をするためのスピーカ３が取付けられているとともに、その筐体Ｈの側面の改札通路Ｐの出口側及び入口側には、ドアＤ1 ，Ｄ2 がそれぞれ設けられている。また、筐体Ｈの上面のほぼ中央部には、利用者に対して文字により所定の案内を行うための表示画面４が取付けられている。
【００１１】
図１中、５は後述されるコイン状のトークンＴを改札機本体Ｇに投入するためのトークン投入口であって、図２に拡大して示されるように、カバーａ′の中心、すなわちアンテナａ1 の中心を貫通するように設けられている。トークン投入口５の大きさは、トークンの投入はできるが、非接触券は投入できない大きさに設定されている。そして、トークン投入口５の周囲には、トークン投入口５に投入されたトークンと交信するためのアンテナａ2 が設けられている。なお、アンテナａ2 を設けずに、上述の非接触券用のアンテナａ1 をトークン用に共用することができる。この場合は、製造コスト低減の効果が得られる。また、６はトークン返却口であって、筐体Ｈの改札通路Ｐの入口側正面上部に設けられ、トークン投入口５から投入されたトークンを利用者へ返却するときに用いられる。なお、トークン返却口６は、改札通路Ｐ側の筐体側面上部に設けることもできる。
【００１２】
図３は、トークン投入口５からトークン返却口６及び回収箱７までの内部構造を示したものである。トークン投入口５は、これを開閉するシャッタ５ａを有しており、改札機本体Ｇが出場用改札機として使用されるときに、シャッタ５ａが開かれるように構成されている。そして、シャッタ５ａが開かれているときにトークン投入口５に投入されたトークンは、シュータ５ｂを落下する途中においてアンテナａ2 を介して改札機本体Ｇと交信し、受入可能と判定されたトークンは回収箱７に回収されるように構成されている。回収箱７は、筐体Ｈの改札通路Ｐ側に出入自在に設けられている枠体８内に着脱自在に設けられている。また、トークンが乗越し等で改札機本体Ｇ内に受入れ（回収）できないと判定されたときは、図示しないソレノイドで作動するウイングＷが二点鎖線位置となり、トークンをトークン返却口６へ導くように構成されている。なお、回収箱７に回収されたトークンは、トークン発行機（図示せず）にセットされて再使用される。
【００１３】
図１中、９は、改札機本体Ｇの動作を司どる制御器であり、マイクロコンピュータを中心に構成されている。そして、制御器９には、非接触券との間でデータの授受を行うためのアンテナａ1 及びトークンとの間でデータの授受を行うためのアンテナａ2 を接続したリーダライタＲ（後述の図４参照）が接続されている。
【００１４】
図４は、改札機本体Ｇに設けられている制御器９及びトークンＴの電気的構成を示すブロック図である。制御器９側から説明すると、制御器９のＣＰＵ２０は、ＲＯＭ２１に記憶されているシステムプログラム及びＲＡＭ２２に記憶されているワーキングデータを用いて演算処理を行って、改札機本体Ｇを統括的に制御できるように構成されている。そして、ＣＰＵ２０には、Ｉ／Ｏユニット２３を介してドアＤ1 ，Ｄ2 を駆動制御するドア駆動ユニット２４と、表示画面４の表示内容を駆動制御する表示画面駆動ユニット２５と、トークン投入口５に設けられているシャッタ５ａ（図２参照）のソレノイドを駆動制御するソレノイド２６とが接続されている。なお、ＣＰＵ２０には、人間検知器Ｓや図示しない反射型センサの検知信号を入力するためのセンサアンプや音声ドライバ等が接続されているが、ここでは省略されている。
【００１５】
リーダライタＲに接続されているアンテナａ1 ，ａ2 は、非接触券及びトークンＴとデータ授受を行う機能と、非接触券及びトークンＴに電力を供給する機能とを備えている。
【００１６】
トークンＴは、ＩＣカードと同様に構成されていて、無線通信機能を有する。すなわち、トークンＴには、アンテナＡと、改札機本体Ｇ側と交信するための通信制御部３０と、その通信制御部３０とＩ／Ｏユニット３１を介して接続されているＣＰＵ３２と、システムプログラムや乗車券データ等のトークンデータの記録されているメモリ３３と、改札機本体Ｇからの電力波をアンテナＡを介して受信し、トークンＴの駆動電力を生成する電力生成回路３４とを有している。なお、図３では、非接触券の電気的構成は示されていないが、非接触券もこのトークンＴとほぼ同様に構成されている。
【００１７】
上述のように、トークン投入口５はアンテナａ1が設けてあるカバーａ′の中心に設け られているので、アンテナａ1の設置位置を利用してトークン投入口５を付加することで 済み、筐体Ｈのアンテナａ1設置位置とは別の位置にトークン投入口５を設けるための加 工などが必要なく、また、アンテナａ1の設置とトークン投入口５の取付けを平行して行 うことができるので、製造コストの上昇を抑えることができる。また、トークン投入口５は、非接触券使用者が改札通路に進入する際にその非接触券をかざし、又はタッチする位置と同じ位置に設けられているので、トークン使用者への案内性に優れている。また、非接触券をかざし、又はタッチする位置と同じ位置にトークン投入口が設けてあるので、アンテナａ1の設置位置とトークン投入口５の設置位置が異なる場合よりも、非接触券使用 者とトークン使用者のいずれにも利用し易い非接触式自動改札機となる。
改札機本体Ｇが出場用改札機として使用される場合は、トークン投入口５に投入されたトークンが有効と判定されたときは、ドアＤ1 が開かれて（本体Ｇがノーマルオープン型のときはそのまま）出場が許可されるとともに、その投入されたトークンは回収箱７に回収される。これに対して、投入されたトークンが精算を必要とするなどの無効と判定されたときは、ドアＤ1 が閉じられて出場が拒否されるとともに、投入されたトークンはトークン返却口６に返却される。この場合、スピーカ３及び表示画面４を介して精算案内等の所定の案内が行われる。
【００１８】
【発明の効果】
請求項１の発明によれば、非接触券と交信するアンテナの中に、回収する非接触トークンを投入するためのトークン投入口を設けたので、トークンの投入を容易に行うことができる。
請求項２の発明によれば、トークン投入口に、投入されたトークンと交信するためのアンテナを設けたときは、トークンとの交信を確実容易に行うことができる。
請求項３の発明のように、回収された非接触式トークンを再使用するようにしたときは、運用コストを低減することができる。
請求項４の発明によれば、非接触式自動改札機  改札機本体の上面に設けられた非接触券と交信するためのアンテナの中にトークン投入口を設けたので、製造コストの上昇を抑え、かつ、非接触券使用者とトークン使用者のいずれにも利用し易い非接触式自動改札機を提供することができる。
請求項５の発明によれば、非接触券と交信するためのアンテナとトークンと交信するためのアンテナとを共用するので、非接触券と非接触式トークンのいずれも処理可能な非接触式自動改札機をより安価にすることができる。
【図面の簡単な説明】
【図１】  本発明の実施の形態に係る非接触式自動改札機の斜視図である。
【図２】  アンテナのカバー部分の拡大図である。
【図３】  トークンの回収，返却状態を示す概略図である。
【図４】  本体の制御器及びトークンの電気的構成を示すブロック図である。
【符号の説明】
Ｔ  非接触式トークン（トークン）
Ｇ  非接触式自動改札機の本体（改札機本体）
ａ′  カバー
ａ1 ，ａ2   アンテナ
５  トークン投入口
６  トークン返却口
７  回収箱
【図１】
0004002741.tif 000002
【図２】
0004002741.tif 000003
【図３】
0004002741.tif 000004
【図４】
0004002741.tif 000005